(57)【要約】【課題】  この発明は、玉ホッパーからの玉抜きに際して、多数個のスイッチやソレノイドを使用せずに玉抜き構造を簡単に構築することができる玉ホッパーの玉抜き構造を提供することを目的とする。【解決手段】  この発明は、玉を転動させて通過させる傾斜通路に上流側より転動して導かれた玉を回転体の回転送り動作により下流側に払出す玉払出し装置を連設し、前記玉払出し装置を玉払出し位置より変位させて該玉払出し装置の通路底面とその上流側の傾斜通路の底面との間に玉抜き開口部を形成する玉抜き機構を備えた玉ホッパーの玉抜き構造であることを特徴とする。【選択図】  図７
2005224350.tif 000002
【特許請求の範囲】
【請求項１】
玉を転動させて通過させる傾斜通路に上流側より転動して導かれた玉を回転体の回転送り動作により下流側に払出す玉払出し装置を連設し、前記玉払出し装置を玉払出し位置より変位させて該玉払出し装置の通路底面とその上流側の傾斜通路の底面との間に玉抜き開口部を形成する玉抜き機構を備えた
玉ホッパーの玉抜き構造。
【請求項２】
多数個の玉を貯留する貯留タンクと、前記貯留タンクに貯留された玉を自重により傾斜方向に転動させながら下流側に整列する整列部と、前記整列部に整列された玉を回転体の回転送り動作により下流側に払出す玉払出し装置とを同一傾斜通路上に連設してなる玉ホッパーであって、
前記玉払出し装置を前記同一傾斜通路の傾斜方向にスライドさせるスライド機構と、
前記玉払出し装置を前記スライド機構により同一傾斜通路の上流側と離れる下流方向にスライドさせたとき、該玉払出し装置の通路底面とその上流側の同一傾斜通路の底面との間に下方の玉抜き通路に連通する玉抜き開口部を形成するスライド操作部と、
を備えた玉ホッパーの玉抜き構造。
【請求項３】
前記スライド操作部は、操作者の操作力を受ける操作部と、
前記操作部が操作力を受けたとき前記玉払出し装置の玉払出し位置でのスライド規制を解除するスライド解除機構と、
前記スライド解除機構のスライド解除動作に連動して前記玉払出し装置を玉払出し位置から玉抜き位置へとスライドさせる付勢機構と、
を備えた請求項２記載の玉ホッパーの玉抜き構造。
【請求項４】
前記玉払出し装置の前段に位置し、前記同一傾斜通路の上流側より流下してきた玉の通過を規制する玉通過規制位置と、この玉通過規制位置より退避して玉の通過を許容する退避位置とに切換え操作される玉通過規制部材を設け、
前記玉通過規制部材を玉通過規制位置に切換えた後、前記玉払出し装置を玉払出し位置から玉抜き位置へとスライドさせたとき、前記玉通過規制部材を玉抜き開口部へと臨む玉抜きガイド兼用位置に至らせる
請求項１、２または３記載の玉ホッパーの玉抜き構造。
【請求項５】
多数個の玉を貯留する貯留タンクと、前記貯留タンクに貯留された玉を自重により傾斜方向に転動させながら下流側に整列する整列部と、前記整列部に整列された玉を回転体の回転送り動作により下流側に払出す玉払出し装置とを同一傾斜通路上に連設してなる玉ホッパーであって、
前記玉払出し装置は、前記整列部より整列して導かれた玉を回転送りして個別に払出し動作する回転体と該回転体より払出された玉数を計数する計数センサとをケーシングに内蔵して一体的に設けた払出しユニットと、該払出しユニットを駆動する駆動ユニットとから構成され、
前記払出しユニットの取付け位置をロック・ロック解除するロック機構と、
前記ロック機構をロック解除操作したとき、前記払出しユニットを回動させて該払出しユニットを玉払出し位置から前記同一傾斜通路の底面に玉抜き開口部を形成する玉抜き位置に回動させる回動機構と、
を備えた玉ホッパーの玉抜き構造。
【発明の詳細な説明】
【技術分野】
【０００１】
この発明は、例えばパチンコ遊技機の入賞玉の払出しや貸玉装置の貸玉の払出しに用いられる玉ホッパーに関し、さらに詳しくは貯留タンクに貯留されている多数の貯留玉を簡単に回収する玉ホッパーの玉抜き構造に関する。
【背景技術】
【０００２】
以下、パチンコ遊技機を例にとって説明する。  
一般に、パチンコ遊技機は、パチンコ玉(以下、玉と称す)を遊技媒体として、パチンコ台の背面側からパチンコ台の前面側に玉を供給している。この玉の供給に際しては、パチンコ遊技機の背面側上部に多数個の玉を貯留する貯留タンク(景品玉タンク)を設置し、この貯留タンク内へは上方の図示しない補給機構から玉を補給させて貯留し、これより貯留した玉を下方に払出すようにしている。この玉の払出し時に、貯留タンクから玉を整列する玉整列装置を介して玉払出し装置(入賞玉処理装置)に導き、ここで払出し指令された玉数を払出して、パチンコ遊技機の前面下部に位置する上皿または下皿に払出している。
【０００３】
ところで、パチンコ遊技機には玉払出し動作とは別に、特許文献１および特許文献２に開示されているように貯留タンクに貯留されている玉を一気に排出(回収)させて貯留タンク内を空にする玉抜き構造が付設されている。上述の玉抜きの目的はパチンコ遊技機の出荷検査時、遊技ホール内でのパチンコ遊技機の移動もしくは廃棄するなどのために備えられている。
【０００４】
通常、このような玉抜き構造およびその玉抜き動作は、貯留タンクから玉払出し装置まで緩やかに傾斜する通路間において実施され、具体的には通路方向が傾斜方向から真下の垂直方向へと方向変換する屈曲通路部の付近でなされている場合が多い。
【０００５】
この屈曲通路部の付近で玉抜き構造を設けるのは、通路底面の開放手段として、例えばリンク機構を使用した機械的な開放構造あるいはソレノイド等を使用した電気的な開放構造を用いている。これにより、通路底面を開放するだけで玉が自重によって容易に下方の玉抜き通路へと導かれるためである。
【０００６】
しかしながら、このような開放構造では、現在パチンコ遊技機の図柄表示装置が大きくなって、その背面側の配置スペースを大きく占有する傾向にあるほか、リンク機構等の機械的部品やソレノイド等の電気部品を配置した場合はパチンコ遊技機の背面側のスペースをさらに狭めてしまう。
【０００７】
さらに、このほか特許文献３および特許文献４に開示されるような玉抜き構造については、多数個のスイッチとソレノイドが必要であるため高価なものになってしまうほか、通電状態でないと玉抜きが実施できないという不便性が生じていた。
【０００８】
【特許文献１】特開平１１−９０００８号公報。
【特許文献２】特開２００２−２００２８９号公報。
【特許文献３】特開２０００−１８９６１８号公報。
【特許文献４】特許第３２３１３８７号公報。
【発明の開示】
【発明が解決しようとする課題】
【０００９】
そこでこの発明は、玉ホッパーからの玉抜きに際して、多数個のスイッチやソレノイドを使用せずに玉抜き構造を簡単に構築することができる玉ホッパーの玉抜き構造を提供することを目的とする。
【課題を解決するための手段】
【００１０】
この発明は、玉を転動させて通過させる傾斜通路に上流側より転動して導かれた玉を回転体の回転送り動作により下流側に払出す玉払出し装置を連設し、前記玉払出し装置を玉払出し位置より変位させて該玉払出し装置の通路底面とその上流側の傾斜通路の底面との間に玉抜き開口部を形成する玉抜き機構を備えた
玉ホッパーの玉抜き構造であることを特徴とする。
【００１１】
ここで玉払出し装置とは、傾斜通路を転動して上流側から導かれてきた玉を、例えばスプロケット等の回転体で個別に回転送りして、払出し指定された玉数だけ入賞玉あるいは貸玉として下流側に払出し動作する。
【００１２】
この発明によると、玉抜き機構により玉払出し装置を変位させれば、通路底面に玉払出し装置が玉払出し位置より変位した分だけ開放空間が形成されて玉抜き開口部を形成することができる。このように、玉払出し装置を変位させるだけで玉払出し動作か玉抜き動作かに切換えることができる。
【００１３】
そして、玉抜き開口部の開口位置と対応する下方に玉抜き通路を接続しておけば、玉抜き機構による切換え操作だけで転動してきた玉を玉抜き開口部より落下させて一気に玉抜きすることができる。
【００１４】
さらに、この玉抜き構造は玉払出し装置を変位させるだけでよいため簡単に構成でき、新たな機械部品や電気部品を要しなくなり、部品点数を削減して経済的に製作できるほか、パチンコ遊技機の背面側のスペースを大きく占有しなくなり、パチンコ遊技機の図柄表示装置の増大化を促進できる。また、通電状態でなくても玉抜きを実施できるため、係員は玉抜き作業に不便を感じず、容易に玉抜き作業を実行できる。
【００１５】
この発明の別の構成では、多数個の玉を貯留する貯留タンクと、前記貯留タンクに貯留された玉を自重により傾斜方向に転動させながら下流側に整列する整列部と、前記整列部に整列された玉を回転体の回転送り動作により下流側に払出す玉払出し装置とを同一傾斜通路上に連設してなる玉ホッパーであって、前記玉払出し装置を前記同一傾斜通路の傾斜方向にスライドさせるスライド機構と、前記玉払出し装置を前記スライド機構により同一傾斜通路の上流側と離れる下流方向にスライドさせたとき、該玉払出し装置の通路底面とその上流側の同一傾斜通路の底面との間に下方の玉抜き通路に連通する玉抜き開口部を形成するスライド操作部とを備えた玉ホッパーの玉抜き構造であることを特徴とする。
【００１６】
ここで整列部とは、貯留タンクの下流側に接続され、前記貯留タンクより供給された玉を１列あるいは複数列に整列させて下流側の玉払出し装置に玉を安定供給できるように整列流下させるものである。
【００１７】
この発明によると、操作者がスライド操作部を操作すれば、スライド機構が玉払出し装置を同一傾斜通路の傾斜方向にスライドさせて玉抜き開口部を開口または閉鎖することができる。従って、玉抜きするときは、操作者がスライド操作部を操作するだけで玉抜き開口部を開口することができる。この開口に基づいて上流側より転動してきた玉は玉抜き開口部の位置で自重により落下して玉抜きされる。
【００１８】
この玉抜きに際しては、玉の通過規制状態から玉抜きするため、同一傾斜通路上に連なっている玉同士が傾斜方向に加わる加圧力によって傾斜方向にひしめきあい、傾斜方向に空中ブリッジを生じるなど傾斜方向と異なる真下へは落下し難い状態にある。ところが、玉払出し装置をスライドさせたときは、瞬間的に傾斜方向の位置規制が解かれて、玉同士の加圧力を開放させることができる。このため、落下抵抗を解消して自然に玉を落下させることができる玉抜きに適した構造が得られる。このように、玉払出し装置を変位動作させる一例として、玉払出し装置を同一傾斜通路に沿って少しスライドさせるだけでスライドによる簡単な玉抜き構造を構築することができる。
【００１９】
この発明の別の構成では、前記スライド操作部は、操作者の操作力を受ける操作部と、前記操作部が操作力を受けたとき前記玉払出し装置の玉払出し位置でのスライド規制を解除するスライド解除機構と、前記スライド解除機構のスライド解除動作に連動して前記玉払出し装置を玉払出し位置から玉抜き位置へとスライドさせる付勢機構とを備えた玉ホッパーの玉抜き構造であることを特徴とする。
【００２０】
前記操作部は、操作者の指先でワンタッチにて入力操作可能な例えば押しボタン、レバー等によって簡単に構成することができ、操作者による玉抜き操作の作業負担を軽減している。
【００２１】
この発明によると、操作者が操作部を操作したとき、この操作に基づいてスライド解除機構がスライド規制を解除して玉払出し装置のスライドを許容し、このとき一方に引張り力を与えるコイルバネ等の付勢機構の付勢力を玉払出し装置に加わるようにすれば、この付勢力を受けた玉払出し装置は玉払出し位置から玉抜き位置へとスライドして玉抜き開口部を形成する。この結果、操作部を操作しただけで上流側より転動してきた玉を玉抜き開口部の位置で自重により落下させて玉抜きすることができる。
【００２２】
前記玉払出し装置を玉抜き位置から元の玉払出し位置に戻すときは、付勢機構の付勢力に抗して操作者が玉払出し装置を逆方向にスライドさせて押し戻せば、再びスライド規制させて玉払出し装置を元の玉払出し位置に戻すことができる。
【００２３】
この発明の別の構成では、前記玉払出し装置の前段に位置し、前記同一傾斜通路の上流側より流下してきた玉の通過を規制する玉通過規制位置と、この玉通過規制位置より退避して玉の通過を許容する退避位置とに切換え操作される玉通過規制部材を設け、前記玉通過規制部材を玉通過規制位置に切換えた後、前記玉払出し装置を玉払出し位置から玉抜き位置へとスライドさせたとき、前記玉通過規制部材を玉抜き開口部へと臨む玉抜きガイド兼用位置に至らせる玉ホッパーの玉抜き構造であることを特徴とする。
【００２４】
この発明によると、玉払出し装置を玉払出し位置から玉抜き位置へとスライドさせれば、その時点で玉通過規制部材が玉抜き開口部へと臨み、この玉通過規制部材が上流側から下流側へと転動する玉を玉抜き開口部に流下ガイドさせる玉抜きガイド部材に兼用することができる。
【００２５】
このため、玉通過規制部材を、本来の玉の流れを制限・許容する役目以外に、玉抜きガイド用としても兼用することができる。このため、既存の玉通過規制部材を兼用できることから新たな玉抜きガイド部品を配設しなくても済む。
【００２６】
ことに、通路底面に玉抜き開口部を開口しただけでは、傾斜方向に連続する玉同士が傾斜方向に加わる加圧力により空中ブリッジを生じて落下し難いため、この玉通過規制部材を玉抜き開口部へと臨ませることによって、流下する玉を確実に方向変換させて円滑に落下させることができる。
【００２７】
この発明の別の構成では、多数個の玉を貯留する貯留タンクと、前記貯留タンクに貯留された玉を自重により傾斜方向に転動させながら下流側に整列する整列部と、前記整列部に整列された玉を回転体の回転送り動作により下流側に払出す玉払出し装置とを同一傾斜通路上に連設してなる玉ホッパーであって、前記玉払出し装置は、前記整列部より整列して導かれた玉を回転送りして個別に払出し動作する回転体と該回転体より払出された玉数を計数する計数センサとをケーシングに内蔵して一体的に設けた払出しユニットと、該払出しユニットを駆動する駆動ユニットとから構成され、前記払出しユニットの取付け位置をロック・ロック解除するロック機構と、前記ロック機構をロック解除操作したとき、前記払出しユニットを回動させて該払出しユニットを玉払出し位置から前記同一傾斜通路の底面に玉抜き開口部を形成する玉抜き位置に回動させる回動機構とを備えた玉ホッパーの玉抜き構造であることを特徴とする。
【００２８】
この発明によると、払出しユニットのロックを解除した後は、回動機構を回動操作すれば、該払出しユニットと同一傾斜通路の底面に玉抜き開口部を形成することができる。従って、玉抜きするときは、操作者がロック解除して回動機構を回動操作するだけで払出しユニットが開口方向に回動して玉抜き開口部を開口することができる。これに基づいて上流側より転動してきた玉は玉抜き開口部の位置で自重により落下して玉抜きされる。このように、払出しユニットを少し回動させて変位させれば、玉抜き開口部を形成して回動による簡単な玉抜き構造を構築することができる。
【発明の効果】
【００２９】
この発明によれば、玉払出し装置を変位させるだけで通路底面に玉抜き開口部を開口する玉抜き構造を形成することができる。このため、新たな機械部品や電気部品を要しなくなり、部品点数を削減して経済的に製作することができる。このほか、パチンコ遊技機の背面側のスペースを狭めなくなるため、パチンコ遊技機の図柄表示装置の増大化を促進することができる。また、通電状態でなくても玉抜きを実施することができるため、操作者は玉抜き作業に不便を感じず容易に玉抜き作業ができる。
【発明を実施するための最良の形態】
【００３０】
通路底面に玉抜き開口部を開口するための玉抜き構造は、玉払出し装置を変位させて構築する。
【実施例１】
【００３１】
この発明の一実施例を以下図面に基づいて説明する。  
図１はパチンコ遊技機のパチンコ台１１Ａの背面側上部に装備される玉ホッパー１１を示す。この玉ホッパー１１は、図２にも示すように、上流側の貯留タンク１２と下流側の玉払出し装置１３とを一体化して構成され、これらは横長に設置した大きな貯留タンク１２の台端側に小さな玉払出し装置１３を連結した単体構成をとっている。
【００３２】
上述の貯留タンク１２は、図３に示すように、上面を開放した先細の凹形状を有し、この上面開放部に対して上方の図示しない補給機構から玉が補給され、ここで多数個の玉を貯留する。この貯留タンク１２に貯留された玉は自重により転動して上流側から下流側の玉払出し装置１３へと導くように構成している。
【００３３】
この場合、玉を上流側から下流側に円滑に通過させるために玉払出し装置１３の前段には整列通路１４を形成している。この整列通路１４は、図４に示すように、貯留タンク１２と一体に構成され、この貯留タンク１２の先端部に細長い整列通路１４を突出させて備えている。
【００３４】
ところで、上流側の貯留タンク１２内のタンク底面から下流側の玉払出し装置１３の玉を払出す底面にかけては、同一傾斜方向に緩やかに傾斜させて直進する長い同一傾斜通路Ｌを設けている。
【００３５】
この同一傾斜通路Ｌは、貯留タンク１２と整列通路１４と玉払出し装置１３との順に玉Ｐを転動させて通過させる各通路の底面を、同一傾斜方向の緩やかな傾斜角度に設定して接続した通路である。このため、玉が自重により上流側から下流側へと緩やかに転動する。
【００３６】
またこの場合は、同一傾斜方向に直進する通路であるため、玉流下時の落差や方向変換がなくなり、玉の流下に適した滑らかな直進移動しながら流下する。
【００３７】
この場合、同一傾斜通路Ｌの傾斜角度が小さければ、その傾きが緩いので玉の転動速度が遅くなり、下流側への玉の供給が滞りやすくなる。これに対し、同一傾斜通路Ｌの傾斜角度が大きいと、その傾きが急になるので連なって流下する玉への重力による負荷が増大する。この結果、例えば５〜８度程度の緩やかな傾斜角度にして転動させるのが適している。このため、ここを転動する玉は速度差が少なくなり、安定して流下する。
【００３８】
ことに、同一傾斜通路Ｌは、斜め下向きに長く直進する通路であるため縦(高さ)方向よりも横方向に長く延びることになる。このため、高さ方向の占有場所が少なくて済み、高さ方向の長さを短縮した通路になり、パチンコ台１１Ａの背面側中央部のスペースを広くとれるコンパクトな取付けが可能になる。
【００３９】
上述の貯留タンク１２と整列通路１４と玉払出し装置１３との順に連設される３要素については、これらを通路方向に直列して、横長に一体に保持板１５で保持してなる一体物の水平払出しユニット１６を設けている。
【００４０】
この水平払出しユニット１６の保持板１５は、パチンコ台１１Ａの幅長さよりも短い横長で平板状を有し、この保持板１５の一片面に整列通路１４を備えた貯留タンク１２と玉払出し装置１３とを横長に一体に取付けた状態で、他片面をパチンコ台背面側に取付けて、該保持板１５の両面をそれぞれ取付け面に有効に利用している。また、この場合は１枚の保持板１５を介して取付けるため部品点数が少なくなり、取付けが簡単化する。さらに、パチンコ台１１Ａの背面側から見て、保持板１５の背面側には貯留タンク１２と玉払出し装置１３とが露出しているため、これらに対しては係員による保守点検が容易になる。
【００４１】
また、貯留タンク１２と整列通路１４と玉払出し装置１３との３要素は横長の直列に連設した一体物の水平払出しユニット１６として単品で扱うことができるため、パチンコ台１１Ａへの組付け作業が容易になる。
【００４２】
さらに、この水平払出しユニット１６は横方向に向けて長い緩やかな同一傾斜通路Ｌを有しているため、全長が横方向に長く、直方体状の一体物となり、該通路Ｌの高さ方向を短くできる。このため、縦型のパチンコ台背面側の上部位置に横長にして小さく組込むことができる。このため、パチンコ台背面側に取付けられた水平払出しユニット１６の下方には他部品の取付けスペースが大きく取れる。また、３要素を直列させることにより、下流側の玉払出し装置１３に玉を導くときにＳ字形通路のように通路を湾曲させたり、折り返させたりせずに済み、直線的に設けることができる。このため、全通路長さを短縮して小型化している。
【００４３】
さらに、水平払出しユニット１６からの玉の払出し口１７を、該ユニット１６の玉払出し装置１３の通路終端側に位置する一端部の下面に設けて、該払出し口１７より玉を下方に払出すように構成している。このため、該ユニットの側方のスペースを十分に活用できる。この払出し口１７に、玉降下通路１８(図１参照)を接続して、これより払出された玉を下方の図示しないパチンコ台前面の受皿へと払出す。
【００４４】
上述の同一傾斜通路Ｌの上流側に位置する貯留タンク１２の底面には、タンクスイッチＳＷ１と、玉有無検知スイッチＳＷ２を配設して、該タンク１２内での玉の収容状態を検知している。
【００４５】
この貯留タンク１２の下流側の先端部には、該タンク１２に貯留された積層状態の玉を少しずつ整列させて流下させるように先端部の左右の両壁を先細に絞り、その絞った細長い通路を前方に長く延設し、この延設部分を整列通路１４に設けている。
【００４６】
この整列通路１４は、左右の壁面とその間の仕切板とで２列の凹溝を有する通路１４ａ，１４ｂを構成している。
【００４７】
この場合、整列通路１４の底部には異物排除用に格子状に開口した排除口１４ｃを開口している。この排除口１４ｃを設けることにより、貯留タンク内に異物が混入しても、その下流側の整列通路１４に移動した時点で、異物は排除口１４ｃより落下して排除される。このため、常に玉Ｐのみを通過させるようにして異物の混入による玉詰りを回避することができる。
【００４８】
上述の２列の通路１４ａ，１４ｂを持つ整列通路１４と、その上方に対設される後述する重なり制限ローラ１９とで、ここに不規則に導かれた玉を２列に整列させる。
【００４９】
上述の重なり制限ローラ１９は、整列通路１４の上方に玉の重なりを崩して整列する整列部２０として対設したものである。この整列部２０は、通路方向に直交する上部の片持ち支持軸２１を傾動支点に通路方向に回動許容し、該軸２１の下部に回転自由な重なり制限ローラ１９を吊支している。この重なり制限ローラ１９を備えることにより、玉を貯留タンク１２から下流側の整列通路１４を介して玉払出し装置１３へと受渡す場合の玉の重なりを崩して過負荷を抑制することができ、玉の受渡しに適した流下ガイド作用が得られる。上述した重なり制限ローラ１９は回転自由に軸支して設けるだけでもよく、崩し力を高めるために回転力を伝達して回転駆動するように構成することもできる。
【００５０】
そして、整列された玉はその下流側に位置する玉払出し装置１３へと２列に導かれる。この場合、整列通路１４の先端部１４ｄは玉払出し装置１３の位置まで延びており、図５に示すように、上流側の貯留タンク１２と下流側の玉払出し装置１３とは整列通路１４を介して直線的に同一傾斜通路Ｌにて接続されている。また、玉払出し装置１３は水平払出しユニット１６から着脱許容して設け、この玉払出し装置１３の内部の保守点検を容易にしている。
【００５１】
上述の貯留タンク１２は、貯留した多数個の玉Ｐを、自重により転動させて下流側の玉流下口１２ａへと導くようにしており、この玉流下口１２ａに向けて側面の幅方向を次第に幅狭に絞った逆ハの字形の絞り部を設けている。
【００５２】
また、この貯留タンク１２の下流側上部には、図６にも示すように、天板２２を備えている。この天板２２は、整列通路１４と玉払出し装置１３の上面を覆う長さを有する平板で構成できる。この天板２２の上流側の端部には、貯留タンク１２の下流側に対応し、該貯留タンク内の上方から真下に臨んで、重なり移動する玉Ｐの上層部を受止める受止め片 (図２参照) ２３を垂設している。
【００５３】
この受止め片２３を設けることによって、山積み状態にある玉Ｐの上層部の流れを阻止する。このため、下部層の玉Ｐだけを流下させることができ、これ以降は玉数の流下割合を十分に減らして下流側に供給することができる。これにより、下流側への玉圧を軽減した流れになり、貯留タンク１２から整列通路１４側への玉Ｐの供給に適した円滑な流れを確保できる。
【００５４】
また、天板２２を設けたことにより、貯留タンク１２に供給された玉Ｐが仮に勢いよく飛び跳ねて整列通路１４や玉払出し装置１３に至っても天板２２で遮って、飛び込まなくなるので、玉詰りや誤動作を誘起する恐れがなくなる。
【００５５】
次に、玉を払出し動作する玉払出し装置１３について説明する。  
この玉払出し装置１３は貯留タンク１２の下流側の整列通路１４に続く同一傾斜通路Ｌに沿って送り部２４と検出部２５とをこの順に有している。
【００５６】
上述の送り部２４は、同一傾斜通路Ｌの終端部上面にスプロケット２６を対設し、このスプロケット２６と同一傾斜通路Ｌとの間に導いた玉を払出し回転方向に１個ずつ連続的に送り出すものである。
また、上述のスプロケット２６と、その下方の同一傾斜通路Ｌとの上下間に導かれた玉はスプロケット２６の回転に伴って１個ずつ送り動作される。このため、連続的に供給される複数個の玉は途切れることなく連続的に払出される。
【００５７】
このスプロケット２６は、外周面に玉送りに適した半円状の凹部と凸部(爪部)とを周方向に交互に有している。そして、図示しない払出しモータの駆動力により、スプロケット２６を払出しに適した一定速度に回転させる。これにより、ここに導かれた玉Ｐを該スプロケット２６の回転に伴って１個ずつ爪部で仕切り、凹部で保持しながら個別送りする。
【００５８】
上述の検出部２５は、払出された玉を計数する２列の通路に対応する２つの計数センサＳとして、例えば近接センサを同一傾斜通路Ｌの終端位置近くに配設して構成する。そして、玉が同一傾斜通路Ｌを通って払出されたとき、通過した払出し直後の玉を計数センサＳが計数する。
【００５９】
さらに、玉払出し装置１３の前段にあっては、同一傾斜通路Ｌの底面とその上方の対向面間で玉の重なりを制限する平板状の重なり防止カバー２７を同一傾斜通路Ｌの上方に対設している。この重なり防止カバー２７は逆への字形の平板を、同一傾斜通路Ｌに沿って、その上方に玉１個を通過許容する高さ間隔に沿設したものである。この重なり防止カバー２７によって玉の重なりを防止して、スプロケット２６の直前での整列を完全にしている。
【００６０】
また、玉払出し装置１３の直前の位置には、玉の流れを規制する玉通過規制レバー２８を配設している。この玉通過規制レバー２８は、図７に示すように、後述する駆動ユニットＵ２の側壁に突出する支軸２９に該玉通過規制レバー２８の上端部を軸支して設けている。この支軸２９を回動支点に該レバー２８の下端部を上下位置に回動許容して設け、上動退避位置に移動させている場合は同一傾斜通路Ｌでの規制がないため玉Ｐの通過を許容し、下動させた場合には同一傾斜通路Ｌに直交して該同一傾斜通路Ｌを閉鎖し、玉Ｐの通過を規制して、玉払出し装置１３への玉Ｐの供給を停止する。
【００６１】
この玉通過規制レバー２８の下端部は玉Ｐの球面に面接触して安定した受止め作用ができる円弧形状にしている。また、後述する玉抜き操作時に玉Ｐを真下に排出させやすくするガイド通路の役目も果たしている。
【００６２】
一方、玉通過規制レバー２８の上端部には扇形状を有し、この扇形部分に該レバー２８を上向きに傾動させたときに弾性変位して位置決めするための下部弾性係止片３０を設け、この下部弾性係止片３０が駆動ユニットＵ２の側壁に突出する係合ピン３１に係止対応したとき、該玉通過規制レバー２８を上動退避位置にて弾性保持する。これにより、玉の通過が許容されて玉払出し装置１３へと玉が連続的に供給される。
【００６３】
同じく、レバー上端部の扇形部分に該レバー２８を下向きに傾動させたときに弾性変位して位置決めするための上部弾性係止片３２を設け、この上部弾性係止片３２が前記係合ピン３１に係止対応したとき、該玉通過規制レバー２８を下動規制位置にて弾性保持する。この場合は、該レバー２８の下端部が同一傾斜通路Ｌを閉鎖することによって玉Ｐの通過を規制する。このように、玉通過規制レバー２８を上動退避位置か下動規制位置かのいずれかに傾動させて、玉の流れを開放または停止させることができる。
【００６４】
ところで、この玉ホッパー１１には、図８に示すように、貯留タンク１２および同一傾斜通路Ｌに存在している全ての玉を玉抜き回収して玉ホッパー１１を空にするための玉抜き機構７１を備えている。この玉抜き機構７１は、玉払出し装置１３を同一傾斜通路Ｌの傾斜方向にスライドさせるスライド機構７２と、このスライド機構７２を操作者がスライド操作させるスライド操作部７３とから構成される。
【００６５】
この玉抜き機構７１によって玉払出し装置１３を下流方向にスライドさせたとき、該玉払出し装置１３の通路底面とその上流側の同一傾斜通路Ｌの底面との間に玉抜き開口部７４を形成して、同一傾斜通路Ｌから玉抜き通路７５に玉を真下に落下させる。そして、この玉抜き開口部７４の下方に接続される玉抜き通路７５を介して玉抜きするように設けている(図７参照)。
【００６６】
前記スライド機構７２は、図９に示すように、払出しユニットＵ１と駆動ユニットＵ２との両ユニットＵ１，Ｕ２を左右に連結して一体化した玉払出し装置１３を玉ホッパー１１の長手(傾斜通路)方向にスライド許容して設けたものである。
【００６７】
このスライドに際しては、図１０および図１１に示すように、保持板１５の内壁面に突設するガイド突起７６に、駆動ユニットＵ２に延設したガイドレール７７を係合させて玉払出し装置１３を玉ホッパー１１の長手方向にスライドガイド可能に支持している。
【００６８】
このガイドレール７７は、図１２に示すように、スライド方向に沿って開口した直列する両側の長孔７８に一対のガイド突起７６をそれぞれ係合させることにより安定してスライドガイドされる。そして、長孔７８の開口長さがほぼスライド長さに相当し、この長孔７８の一端面７８ａにガイド突起７６が当接してスライド規制される。
【００６９】
この玉払出し装置１３はガイドレール７７の側面に突設した係止突起７９と、図１３に示す保持板１５の内壁面に突設した係止突起８０との間に張設されたコイルバネ８１の引張り作用によって玉抜き開口部７４を開口する方向に付勢している。通常、このコイルバネ８１は玉抜き開口部７４を閉じた状態から開口する方向に付勢作用を働かせた状態に支持されている。
【００７０】
このときのスライド位置の位置規制および位置規制解除は、図１４に示すように、スライド操作部としての押しボタン部８２を持つ連結レバー８３と、玉払出し位置でのスライド規制を解除するスライド解除機構８４とを組合せて実行される。
【００７１】
前記連結レバー８３は、図８、図１４および図１６にも示すように、通路方向に沿って長く延び、そのレバーの中間部に通路方向と直交する中間軸８５を天板２２の下面に軸支し、この中間軸８５を傾動支点に該連結レバー８３を上下方向にシーソー状に傾動許容して取付けている。
【００７２】
この連結レバー８３の基端部の上面に、指先で押すことができる押しボタン部８２を有し、この押しボタン部８２が天板２２の上面に開口した押しボタン窓８６に押下可能に突出して取付けられる。
【００７３】
これとは反対側のレバー先端部には分岐して並列する一方に細長いレバー爪８７を突設し、このレバー爪８７が駆動ユニットＵ２に設けられた固定爪８８に係脱自在に設けられ、通常の玉払出し状態ではレバー爪８７が固定爪８８に引っ掛かってスライド規制されている。レバー先端部に分岐して並列する他方には過剰傾動規制片８９を突設し、この過剰傾動規制片８９が天板２２の下面に当接して、押しボタン部８２の押下操作に連動して該連結レバー８３が傾動したときの過剰傾動を防いでいる。
【００７４】
次に、玉抜きを行なう際の手順について説明する。  
先ず、操作者は玉通過規制レバー２８を指先で押し下げて、該玉通過規制レバー２８の下端部を下動規制位置に下動させる。これにより、該玉通過規制レバー２８の下端部が同一傾斜通路Ｌに直交し、同一傾斜通路Ｌを流れる玉の通過を規制して上流側からの玉Ｐの流れを一時停止させる。
【００７５】
この通路閉鎖状態にした後、図１５および図１７に示すように、連結レバー８３の上面に露出する操作ボタン部８２を指先で押下操作すると、スライド解除機構８４としてのレバー爪８７が固定爪８８より外れる。このスライド解除動作に基づいて玉払出し装置１３は下流方向にスライドして玉払出し位置から玉抜き位置へと至り、通路底面に玉抜き開口部７４が開口される。この玉抜き開口部７４が開口されると直ちに玉抜き動作が開始される。
【００７６】
この場合、玉Ｐの通過規制状態から玉抜きするため、同一傾斜通路Ｌ上に連なっている玉同士が傾斜方向に加わる加圧力によって傾斜方向に空中ブリッジを生じるなど傾斜方向と異なる真下へは落下し難い状態にある。ところが、玉払出し装置１３をスライドさせたときは、瞬間的に傾斜方向の位置規制が解かれて、その傾斜方向の玉同士の加圧力を開放させることができる。このため、落下抵抗を解消して玉Ｐを自重により自然に落下させることができる。
【００７７】
さらに、玉抜き開口部７４の開口時には玉通過規制レバー２８を玉抜き開口部７４へと臨ませて、流下する玉を傾斜方向から真下に方向変換させて円滑に落下させることができる。
【００７８】
この玉抜き後は、同一傾斜通路Ｌの傾斜面上を上流側から下流側へと玉が転がるため、その後は自然と玉抜きがなされる。  
このほか、玉抜き開口部７４より後段に位置する玉払出し装置１３のスプロケット２６に玉Ｐが仮に１〜２個残存するようなことがあっても、払出しユニットＵ１の外部に突出する操作摘み９０を操作者が回動操作すれば、スプロケット２６より玉抜き開口部７４に導かれて完全に排出できる。
【００７９】
そして、玉ホッパー１１での全ての玉の回収を終えると、操作者は玉払出し装置１３を掴んでスライド前の位置に押し戻すように逆向きにスライドさせれば、玉払出し装置１３は再び玉払出し位置に戻り、このときレバー爪８７が固定爪８８を係止して位置規制されると同時に玉抜き開口部７４が閉じられる。その後、玉通過規制レバー２８を上動退避位置に引き上げれば、再び同一傾斜通路Ｌは開放されて玉が流れ、その下流側の玉払出し装置１３に玉が供給されて次の玉の払出しに備えられる。
【実施例２】
【００８０】
次に、玉払出し装置１３をスライドさせずに、その一部の払出しユニットＵ１だけを回動させて玉抜き開口部７４を開口する回動型の玉抜き構造を示す。前記実施例１とは回動させて玉抜きする部分のみが異なり、他の構造は同一であるため異なる部分についてのみ説明する。また、実施例１と同様の構成については、同様の符号を用いて説明を省略する。
【００８１】
先ず、回動される払出しユニットＵ１については、図１８に示すように、スプロケット２６と計数センサＳとを払出しケーシング９１に内蔵して一体的にユニット化している。この払出しユニットＵ１を駆動ユニットＵ２から取外して分割可能に一体的に連結している。また、払出しユニットＵ１を駆動ユニットＵ２に連結した状態で回動操作可能に設けている。
【００８２】
この払出しユニットＵ１に内蔵されているスプロケット２６は、その回転軸９２が払出しケーシング９１の通路幅方向に横貫して軸支され、該払出しケーシング９１の外方に突出する該回転軸９２の一端部を駆動ユニットＵ２との連結用に延設し、他端部を手動回転用の操作摘み９０の取付け部位に延設している。
【００８３】
両ユニットＵ１，Ｕ２の連結および位置決めに際しては、駆動ユニットＵ２の側壁面を、払出しユニットＵ１が平面対応して位置決めするための取付け基準面９３とし、その取付け基準面９３に駆動伝達用の軸孔９４を開口している。そして、この駆動ユニットＵ２に払出しユニットＵ１を連結する際は、前記軸孔９４に払出しユニットＵ１の回り止めキー面９５を有する回転軸９２を挿入し、挿入完了した時点で、該払出しユニットＵ１の払出しケーシング９１の側壁面が駆動ユニットＵ２の取付け基準面９３に平面対応して、両ユニットＵ１，Ｕ２間の連結方向の高さ、通路方向、幅方向が位置決めされる。
【００８４】
次に、払出しユニットＵ１の周方向の位置決めに際しては、軸孔９４の上方位置の取付け基準面９３に位置決めピン９６を突設しており、払出しユニットＵ１を玉払出し方向に回動(図中右回転)させて、該位置決めピン９６に払出しユニットＵ１の上部に突設した玉払出し位置決め用の第１ピン対応凹部９７を周方向に嵌合対応させたとき、その位置で回り止めされて払出しユニットＵ１は周方向の玉払出し位置に位置決めされる。
【００８５】
この周方向の位置決め操作は、回転軸９２と軸孔９４とによって両ユニットＵ１，Ｕ２間の周方向以外の位置合せが既に決まっているため、その位置合せ状態のまま払出しユニットＵ１を取付け基準面９３に沿ってピン対応方向に回動させれば、周方向の位置決めができる。そして、第１ピン対応凹部９７が位置決めピン９６に嵌合対応したとき周方向の位置決めが完了する。
【００８６】
さらに、払出しユニットＵ１の上部には玉抜き位置決め用の第２ピン対応凹部９８を有しており、払出しユニットＵ１を玉抜き方向に回動(図中左回転)させて、該第２ピン対応凹部９８が同方向に回動して位置決めピン９６に嵌合対応したときは、その位置で回り止めされて払出しユニットＵ１は周方向の玉抜き位置に位置決めされる。このとき、整列通路１４の底面と払出しユニットＵ１の傾斜通路の底面との間に、玉を落下させることができる空間を有する玉抜き開口部７４を開口する。
【００８７】
このように、払出しユニットＵ１は回動時に第１ピン対応凹部９７と第２ピン対応凹部９８が位置決めピン９６に回り止めされる回動範囲で回動される回動機構を有している。通常、払出しユニットＵ１は第１ピン対応凹部９７に位置決めされており、その取付け位置をロック機構としてのユニット連結レバー９９によって係脱自在に固定されている。
【００８８】
このユニット連結レバー９９は、図１９および図２０に示すように、該レバー９９の基端部を取付け基準面９３に突設する支軸１００に軸支して上下方向に傾動自由に設けている。そして、この傾動自由に設けた自由端側に細長い円弧形の弾性係合片１０１を形成し、この弾性係合片１０１を第１ピン対応凹部９７の外側の円弧面に形成した係止段部１０２に係脱自在に設けることにより、これらを係止対応させたときに一体に固定され、両ユニットＵ１，Ｕ２は一体に連結される。
【００８９】
このユニット連結レバー９９を、支軸１００を傾動支点に上方に引き上げれば、係止段部１０２と弾性係合片１０１との係合が外れて、払出しユニットＵ１は離脱許容される。
【００９０】
次に、玉抜きを行なう際の手順について説明する。  
玉抜きに先立ち、玉通過規制レバー２８を下動規制位置に押し下げて同一傾斜通路Ｌを閉鎖する。これにより、上流側からの玉Ｐの流れを一旦規制する。
【００９１】
続いて、ユニット連結レバー９９を上動退避させて払出しユニットＵ１のロックを解除する。これにより、払出しユニットＵ１は駆動ユニットＵ２との係合が解除されて回動許容される。この回動許容された払出しユニットＵ１を操作者が掴んで玉抜き方向に回動させる。
【００９２】
このとき、払出しユニットＵ１は位置決めピン９６とピン対応凹部９７との周方向の嵌合対応から開放された後、払出しユニットＵ１は玉抜き方向に回動し、位置決めピン９６と第２ピン対応凹部９８とが嵌合対応した玉抜き位置で回動停止する。
【００９３】
そして、最後に操作者が玉通過規制レバー２８を押し上げて上動退避させれば、玉Ｐの流下規制を解除して整列通路１４の底面と払出しユニットＵ１の傾斜通路の底面との間に玉を真下に落下させることができる玉抜き開口部７４を開口でき、この玉抜き開口部７４から玉Ｐを連続的に排出して玉抜きすることができる。
【００９４】
この発明の構成と、上述の実施例の構成との対応において、
この発明の回転体は、実施例のスプロケット２６に対応し、
以下同様に、
付勢機構は、コイルバネ８１に対応し、
玉通過規制部材は、玉通過規制レバー２８に対応するも、この発明は上述の実施例の構成に限定されるものではなく、請求項に記載される技術思想に基づいて応用することができ、多くの実施の形態を得ることができる。
【図面の簡単な説明】
【００９５】
【図１】実施例１の玉ホッパーを備えたパチンコ台の要部背面図。
【図２】実施例１の玉ホッパーを示す縦断面図。
【図３】実施例１の玉ホッパーを示す斜視図。
【図４】実施例１の貯留タンク内の玉の流れを示す斜視図。
【図５】実施例１の玉ホッパーの一部分解斜視図。
【図６】実施例１の玉ホッパーの玉払出し状態を示す縦断面図。
【図７】実施例１の玉ホッパーの玉抜き状態を示す要部縦断面図。
【図８】実施例１の玉ホッパーに組込まれた玉抜き機構を示す一部分解斜視図。
【図９】実施例１の玉ホッパーに組込まれた玉抜き機構を示す要部分解斜視図。
【図１０】実施例１の保持板とスライド機構との関係を示す斜視図。
【図１１】実施例１の玉払出し装置とスライド機構との関係を示す斜視図。
【図１２】実施例１のコイルバネとガイドレールとの係止状態を示す拡大斜視図。
【図１３】実施例１のコイルバネと保持板との係止状態を示す要部拡大斜視図。
【図１４】実施例１のスライド解除機構の規制状態を示す要部縦断面図。
【図１５】実施例１のスライド解除機構の解除状態を示す要部縦断面図。
【図１６】実施例１のスライド解除機構の規制状態を示す要部斜視図。
【図１７】実施例１のスライド解除機構の解除状態を示す要部斜視図。
【図１８】実施例２の回動型の玉抜き構造を示す要部斜視図。
【図１９】実施例２の回動型の玉抜き状態を示す要部斜視図。
【図２０】実施例２の回動型の玉抜き状態を示す要部縦断面図。
【符号の説明】
【００９６】
１１…玉ホッパー
１３…玉払出し装置
７１…玉抜き機構
７４…玉抜き開口部
Ｕ１…払出しユニット
Ｌ…同一傾斜通路
【図１】
2005224350.tif 000003
【図２】
2005224350.tif 000004
【図３】
2005224350.tif 000005
【図４】
2005224350.tif 000006
【図５】
2005224350.tif 000007
【図６】
2005224350.tif 000008
【図７】
2005224350.tif 000009
【図８】
2005224350.tif 000010
【図９】
2005224350.tif 000011
【図１０】
2005224350.tif 000012
【図１１】
2005224350.tif 000013
【図１２】
2005224350.tif 000014
【図１３】
2005224350.tif 000015
【図１４】
2005224350.tif 000016
【図１５】
2005224350.tif 000017
【図１６】
2005224350.tif 000018
【図１７】
2005224350.tif 000019
【図１８】
2005224350.tif 000020
【図１９】
2005224350.tif 000021
【図２０】
2005224350.tif 000022